(57)【要約】【課題】オンスクリーン画像データ表示及びオフスクリーンのコンピュータプログラムのロード及び実行の方法の提供。【解決手段】コンピュータシステムがインスタントキーが操作されたことを検出した時、該コンピュータシステムを起動し並びに該コンピュータシステムのＢＩＯＳを実行する。該ＢＩＯＳは表示装置の駆動プログラムをロード及び実行し、並びに該インスタントキーに設定されたアプリケーションプログラムと関係するオンスクリーン画像データをロードし、並びに該表示装置がオンスクリーン画像データを表示する。該表示装置はオンスクリーン画像データを表示すると同時に、オフスクリーンにオペレーションシステムをロード及び実行し、並びにオペレーションシステムの開始完成後に、該インスタントキーに対応するインスタントキー設定アプリケーションプログラムをロード及び実行する。【選択図】図１
2007034252.tif 000002
【特許請求の範囲】
【請求項１】
オンスクリーン画像データ表示及びオフスクリーンのコンピュータプログラムのロード及び実行の方法において、コンピュータシステム中にデータ保存媒体、システムメモリ、基本入出力システム、表示装置、及び少なくとも一つのインスタントキーが接続され、該インスタントキーは指定されたインスタントキー設定アプリケーションプログラムに対応し、該データ保存媒体中にオペレーションシステム、表示装置の駆動プログラム、及び該インスタントキー設定アプリケーションプログラムが保存され、該方法は、
（ａ）該インスタントキーの状態を検出するステップ、
（ｂ）該インスタントキーが押圧操作されたことを検出した時、該コンピュータシステムを起動するステップ、
（ｃ）該コンピュータシステムの基本入出力システムを実行するステップ、
（ｄ）基本入出力システムにより該表示装置の駆動プログラムをロード並びに実行し、該表示装置を作動開始させるステップ、
（ｅ）基本入出力システムにより該インスタントキー設定アプリケーションプログラムに関係するオンスクリーン画像データをロードし、並びに表示装置によりそれを表示するステップ、
（ｆ）該表示装置がオンスクリーン画像データを表示すると同時に、オフスクリーンで該オペレーションシステムをロード及び実行するステップ、
（ｇ）該オペレーションシステムの起動完成後、該インスタントキーに対応するインスタントキー設定アプリケーションプログラムをロード及び実行するステップ、
以上のステップを包含することを特徴とする、オンスクリーン画像データ表示及びオフスクリーンのコンピュータプログラムのロード及び実行の方法。
【請求項２】
請求項１記載のオンスクリーン画像データ表示及びオフスクリーンのコンピュータプログラムのロード及び実行の方法において、（ｄ）のステップ中、さらに該コンピュータシステムのシステムメモリ中に所定のランダムアクセスディスクエリアを画定するステップを包含し、該オペレーションシステム、表示装置の駆動プログラム及びインスタントキー設定アプリケーションプログラムの実行に必要な空間となすことを特徴とする、オンスクリーン画像データ表示及びオフスクリーンのコンピュータプログラムのロード及び実行の方法。
【請求項３】
請求項１記載のオンスクリーン画像データ表示及びオフスクリーンのコンピュータプログラムのロード及び実行の方法において、（ｅ）のステップ中のオンスクリーン画像データが該データ保存媒体中に保存されていることを特徴とする、オンスクリーン画像データ表示及びオフスクリーンのコンピュータプログラムのロード及び実行の方法。
【請求項４】
請求項１記載のオンスクリーン画像データ表示及びオフスクリーンのコンピュータプログラムのロード及び実行の方法において、（ｅ）のステップ中の該基本入出力システムがロードするオンスクリーン画像データは該表示装置の画像バッファ中にロードされることを特徴とする、オンスクリーン画像データ表示及びオフスクリーンのコンピュータプログラムのロード及び実行の方法。
【請求項５】
請求項１記載のオンスクリーン画像データ表示及びオフスクリーンのコンピュータプログラムのロード及び実行の方法において、（ｅ）のステップ中の該基本入出力システムがロードするデータはオンスクリーン画像データのほかに、更にインスタントキー設定アプリケーションプログラムに関係する音声データを包含することを特徴とする、オンスクリーン画像データ表示及びオフスクリーンのコンピュータプログラムのロード及び実行の方法。
【請求項６】
請求項１記載のオンスクリーン画像データ表示及びオフスクリーンのコンピュータプログラムのロード及び実行の方法において、オンスクリーン画像データはシリアル動画画像であることを特徴とする、オンスクリーン画像データ表示及びオフスクリーンのコンピュータプログラムのロード及び実行の方法。
【請求項７】
請求項１記載のオンスクリーン画像データ表示及びオフスクリーンのコンピュータプログラムのロード及び実行の方法において、インスタントキー設定アプリケーションプログラムはマルチメディアオーディオビデオ再生プログラムであることを特徴とする、オンスクリーン画像データ表示及びオフスクリーンのコンピュータプログラムのロード及び実行の方法。
【請求項８】
請求項１記載のオンスクリーン画像データ表示及びオフスクリーンのコンピュータプログラムのロード及び実行の方法において、該データ保存媒体中に更にインスタントキー事件コード対応テーブルが保存され、それに複数のインスタントキーに対応する事件コード、該事件コードに対応するインスタントキー設定アプリケーションプログラム、該インスタントキー設定アプリケーションプログラムに対応するオンスクリーン画像データが保存されていることを特徴とする、オンスクリーン画像データ表示及びオフスクリーンのコンピュータプログラムのロード及び実行の方法。
【請求項９】
請求項８記載のオンスクリーン画像データ表示及びオフスクリーンのコンピュータプログラムのロード及び実行の方法において、該インスタントキー事件コード対応テーブル中に更に該インスタントキー設定アプリケーションプログラムに対応する関係音声データが保存されていることを特徴とする、オンスクリーン画像データ表示及びオフスクリーンのコンピュータプログラムのロード及び実行の方法。
【発明の詳細な説明】
【技術分野】
【０００１】
本発明はコンピュータシステム起動の方法に係り、特にオンスクリーン画像データ表示及びオフスクリーンのコンピュータプログラムのロード及び実行の方法に関する。
【背景技術】
【０００２】
マルチメディアの応用が普及するにつれ、コンピュータは一般家庭生活中に浸透し、毎日接触する設備となった。多くの人にとって、コンピュータはすでに日常生活の事務を処理するのに必要な工具となっており、コンピュータ操作の技能は今や深遠な学問ではなくなっている。このため、全体環境からみて、使用者能力の向上及び技術の進歩により、禁煙コンピュータを核心とするデジタル家庭概念が構築されつつあり、ますますコンピュータが家電に整合された応用例がますます多くなり、或いは一般家電設備の改良により操作が簡単となり、コンピュータと一般家電との整合応用の能力が向上されている。インスタントプレイ（Ｉｎｓｔａｎｔ  Ｐｌａｙ）或いは類似の機能はその一例である。インスタントのエンベッド式アプリケーションプログラム導入ステップにより、使用者は家電の操作体験と類似して、インスタントプレイによりオーディオビデオ再生の楽しみを享受できるようになる。
【発明の開示】
【発明が解決しようとする課題】
【０００３】
しかし残念なことに、インスタントプレイの方法は大幅に起動の速度を高めるが、コンピュータの構造は一般家電とは異なり、比較的長い待機時間が必要であり、ゆえに使用上、以下のような欠点が存在する。
（１）使用者は明らかに起動とコンピュータ使用可能な過程を区分する。
（２）起動待機時間が有効に利用されない。
（３）起動待機時間は最良の製品広告時間であり、また、製品紹介或いは製品操作指導のよい機会であるが、周知の設計にはこの時間を有効に利用したものはない。
（４）使用者は待機時間が長すぎると感じやすく、受け入れにくくなり、家電とコンピュータを整合させた製品の販売促進に影響が生じる。
【０００４】
前述の周知の技術の欠点を鑑み、本発明は一種のオンスクリーン画像データ表示及びオフスクリーンのコンピュータプログラムのロード及び実行の方法を提供する。それは、操作者がシステム開始時に、コンピュータシステムの基本入出力システム（ＢＩＯＳ）よりシリアル設定アプリケーションプログラムの関係動画画像或いはシリアルフィールド効果画像をディスプレイにロードし、さらにオペレーションシステムによりシリアル装置が開始するオペレーションプログラム及びアプリケーションプログラムの起動を行う。
【０００５】
本発明のもう一つの目的は、コンピュータシステムの起動待機時間を有効利用するコンピュータプログラム開始の方法を提供することにある。本発明は流暢な動画シリアルフィールド効果及び及び導入のプログラムにより一気に完成する効果を発生し、ゆえに使用者がディスプレイより機能実行の進度をみることができ、プログラム停滞の感覚を受けることがない。
【０００６】
本発明の別の目的は、起動シリアルフィールド効果を考慮すると共にシステム起動速度に影響しないコンピュータシステム実行の方法を提供することにあり、本発明はディスプレイにシリアル設定の動画画像を表示すると同時に、オペレーションシステムがオフスクリーンに続けて進行し、システム開始の速度に影響を与えない。
【０００７】
本発明が周知の技術の問題を解決するために採用する技術手段は、コンピュータシステムが予め配置されたインスタントキーが操作されたことを検出する時、がコンピュータシステムを起動し、並びに該コンピュータシステムの基本入出力システムを実行する。該基本入出力システムは表示装置の駆動プログラムをロード及び実行し、並びに該インスタントキーに設定されたアプリケーションプログラムに関係する設定オンスクリーン画像データをロードし、並びに表示装置が該オンスクリーン画像データを表示する。該表示装置がオンスクリーン画像データを表示すると同時に、オペレーションシステムをロード及び実行し、並びにオペレーションシステムの起動完成後に、該インスタントキーが対応するインスタントキー設定アプリケーションプログラムをロード及び実行する。
【０００８】
本発明の好ましい実施例中、該コンピュータシステムのシステムメモリ中にランダムアクセスディスクエリアを画定し、これにより各プログラム開始の速度を加速する。さらに、オンスクリーン画像データのほか、該インスタントキーに設定されたアプリケーションプログラムと関係する音声データを発生しうる。
【課題を解決するための手段】
【０００９】
請求項１の発明は、オンスクリーン画像データ表示及びオフスクリーンのコンピュータプログラムのロード及び実行の方法において、コンピュータシステム中にデータ保存媒体、システムメモリ、基本入出力システム、表示装置、及び少なくとも一つのインスタントキーが接続され、該インスタントキーは指定されたインスタントキー設定アプリケーションプログラムに対応し、該データ保存媒体中にオペレーションシステム、表示装置の駆動プログラム、及び該インスタントキー設定アプリケーションプログラムが保存され、該方法は、
（ａ）該インスタントキーの状態を検出するステップ、
（ｂ）該インスタントキーが押圧操作されたことを検出した時、該コンピュータシステムを起動するステップ、
（ｃ）該コンピュータシステムの基本入出力システムを実行するステップ、
（ｄ）基本入出力システムにより該表示装置の駆動プログラムをロード並びに実行し、該表示装置を作動開始させるステップ、
（ｅ）基本入出力システムにより該インスタントキー設定アプリケーションプログラムに関係するオンスクリーン画像データをロードし、並びに表示装置によりそれを表示するステップ、
（ｆ）該表示装置がオンスクリーン画像データを表示すると同時に、オフスクリーンで該オペレーションシステムをロード及び実行するステップ、
（ｇ）該オペレーションシステムの起動完成後、該インスタントキーに対応するインスタントキー設定アプリケーションプログラムをロード及び実行するステップ、
以上のステップを包含することを特徴とする、オンスクリーン画像データ表示及びオフスクリーンのコンピュータプログラムのロード及び実行の方法としている。
請求項２の発明は、請求項１記載のオンスクリーン画像データ表示及びオフスクリーンのコンピュータプログラムのロード及び実行の方法において、（ｄ）のステップ中、さらに該コンピュータシステムのシステムメモリ中に所定のランダムアクセスディスクエリアを画定するステップを包含し、該オペレーションシステム、表示装置の駆動プログラム及びインスタントキー設定アプリケーションプログラムの実行に必要な空間となすことを特徴とする、オンスクリーン画像データ表示及びオフスクリーンのコンピュータプログラムのロード及び実行の方法としている。
請求項３の発明は、請求項１記載のオンスクリーン画像データ表示及びオフスクリーンのコンピュータプログラムのロード及び実行の方法において、（ｅ）のステップ中のオンスクリーン画像データが該データ保存媒体中に保存されていることを特徴とする、オンスクリーン画像データ表示及びオフスクリーンのコンピュータプログラムのロード及び実行の方法としている。
請求項４の発明は、請求項１記載のオンスクリーン画像データ表示及びオフスクリーンのコンピュータプログラムのロード及び実行の方法において、（ｅ）のステップ中の該基本入出力システムがロードするオンスクリーン画像データは該表示装置の画像バッファ中にロードされることを特徴とする、オンスクリーン画像データ表示及びオフスクリーンのコンピュータプログラムのロード及び実行の方法としている。
請求項５の発明は、請求項１記載のオンスクリーン画像データ表示及びオフスクリーンのコンピュータプログラムのロード及び実行の方法において、（ｅ）のステップ中の該基本入出力システムがロードするデータはオンスクリーン画像データのほかに、更にインスタントキー設定アプリケーションプログラムに関係する音声データを包含することを特徴とする、オンスクリーン画像データ表示及びオフスクリーンのコンピュータプログラムのロード及び実行の方法としている。
請求項６の発明は、請求項１記載のオンスクリーン画像データ表示及びオフスクリーンのコンピュータプログラムのロード及び実行の方法において、オンスクリーン画像データはシリアル動画画像であることを特徴とする、オンスクリーン画像データ表示及びオフスクリーンのコンピュータプログラムのロード及び実行の方法としている。
請求項７の発明は、請求項１記載のオンスクリーン画像データ表示及びオフスクリーンのコンピュータプログラムのロード及び実行の方法において、インスタントキー設定アプリケーションプログラムはマルチメディアオーディオビデオ再生プログラムであることを特徴とする、オンスクリーン画像データ表示及びオフスクリーンのコンピュータプログラムのロード及び実行の方法としている。
請求項８の発明は、請求項１記載のオンスクリーン画像データ表示及びオフスクリーンのコンピュータプログラムのロード及び実行の方法において、該データ保存媒体中に更にインスタントキー事件コード対応テーブルが保存され、それに複数のインスタントキーに対応する事件コード、該事件コードに対応するインスタントキー設定アプリケーションプログラム、該インスタントキー設定アプリケーションプログラムに対応するオンスクリーン画像データが保存されていることを特徴とする、オンスクリーン画像データ表示及びオフスクリーンのコンピュータプログラムのロード及び実行の方法としている。
請求項９の発明は、請求項８記載のオンスクリーン画像データ表示及びオフスクリーンのコンピュータプログラムのロード及び実行の方法において、該インスタントキー事件コード対応テーブル中に更に該インスタントキー設定アプリケーションプログラムに対応する関係音声データが保存されていることを特徴とする、オンスクリーン画像データ表示及びオフスクリーンのコンピュータプログラムのロード及び実行の方法としている。
【発明の効果】
【００１０】
周知の技術と比較して、本発明の提供するオンスクリーン画像データ表示及びオフスクリーンのコンピュータプログラムのロード及び実行の方法は、操作者がシステム開始する時、コンピュータシステムの基本入出力システムがシリアル設定アプリケーションプログラムの関係動画画像或いはシリラルフィールド効果画像をディスプレイにロードし、さらにオペレーションシステムがシリアル装置が起動するオペレーション及びアプリケーションプログラムを請け負い、こうして使用者が次のインスタントキーを押し下げた瞬間に、流暢シリアルフィールド効果及び導入するプログラムにより一気に完成する効果を発生する。ゆえに、使用者はディスプレイより機能実行の速度をみることができ、プログラム停滞の感覚を覚えない。ディスプレイが画像表示すると同時に、オペレーションシステムはオフスクリーンで続けて実行され、並びにシステム起動の速度に影響を与えない。実際の応用時には、起動のシリアルフィールド動画の設計に関しては、製品機能特性を結合可能で並びにその製品特色を明らかに表示でき、使用者の製品或いはブランドに対する印象を強めることができる。
【００１１】
本発明の採用する具体的方法及び制御フローは、以下の実施例及び図面を参照して説明する。
【発明を実施するための最良の形態】
【００１２】
図１は本発明のオンスクリーン画像データ表示及びオフスクリーンのコンピュータプログラムのロード及び実行の方法のシステム機能ブロック図である。本発明のコンピュータ装置１００は、ＣＰＵ１１、第１バスブリッジ１２、第２バスブリッジ１３を包含し、そのうち、該ＣＰＵ１１はシステムバスで第１バスブリッジ１２に接続され、該第１バスブリッジ１２にシステムメモリ１４が接続され、並びにディスプレイインタフェース１５０を介してディスプレイ１５に接続されている。
【００１３】
第２バスブリッジ１３に基本入出力システムメモリ１６が接続されている。該基本入出力システムメモリ１６中にはコンピュータ装置の起動時に必要な基本入出力システムプログラム１６１（ＢＩＯＳプログラム）及びＰＯＳＴ（パワーオンセルフテスト）プログラム１６２が保存されている。
【００１４】
第２バスブリッジ１３はバスでハードディスクインタフェース１７０に接続され、さらにハードディスクインタフェース１７０でハードディスク１７に接続されている。該ハードディスク１７は本発明中のデータ保存媒体とされる。該ハードディスク１７中にオペレーションシステム１７１及びその他の該オペレーションシステム環境下で操作可能な各種の駆動プログラム及びアプリケーションプログラム、例えば表示装置駆動プログラム１７２、インスタントキー設定アプリケーションプログラム１７３がインストールされている。該インスタントキー設定アプリケーションプログラム１７３はマルチメディアオーディオビデオ再生プログラムとされうる。該ハードディスク１７中にはまた少なくとも一つのオンスクリーン画像データ１７４及び少なくとも一つの音声データ１７５が保存されている。
【００１５】
第２バスブリッジ１３はオーディオビデオインタフェース１８０を介してマルチメディアオーディオビデオ再生装置１８に接続されている。該マルチメディアオーディオビデオ再生装置１８はＤＶＤ、ＭＰ３、ＣＤ、ＴＶ等の再生装置とされうる。第２バスブリッジ１３は適合する周辺装置インタフェースを介してその他の各種の周辺装置（図示せず）に接続される。
【００１６】
該第２バスブリッジ１３はインスタントキー検出インタフェース１９０を介してインスタントキー１９に接続され、該インスタントキー１９はインスタントキー設定アプリケーションプログラム１７３に対応する。即ち、各インスタントキー１９が使用者に押圧操作される時、該コンピュータシステムは該インスタントキー１９の状態を検出し、即刻該ハードディスク１７中のインスタントキー設定アプリケーションプログラム１７３をロード及び実行する。
【００１７】
図２は本発明のオンスクリーン画像データ表示及びオフスクリーンのコンピュータプログラムのロード及び実行の方法の制御フローチャートである。図１の第１実施例システム機能ブロック図も参照し、本発明の制御フローについて以下に説明する。
【００１８】
まず、コンピュータシステムがインスタントキーが押圧操作されたかを検出する（ステップ１０１）。該インスタントキーが押圧操作されたことを検出した時、該コンピュータシステムを開始する（ステップ１０２）。このステップにあって、コンピュータシステム開始のステップは、該コンピュータシステムを起動するか或いはコンピュータシステムをスリープ状態から覚醒させることとされる。
【００１９】
コンピュータシステム開始完成の後、該コンピュータシステムはまず基本入出力システムを実行し（ステップ１０３）、即ちコンピュータシステムのＣＰＵ１１が基本入出力システムメモリ１６中より基本入出力システムプログラム１６１及びＰＯＳＴ（パワーオンセルフテスト）プログラム１６２をロード及び実行する。その後、該基本入出力システムプログラム１６１はコンピュータ装置１００中に接続された表示装置１５、ハードディスク１７、マルチメディアオーディオビデオ再生装置１８等の装置を検出する（ステップ１０４）。
【００２０】
このとき、コンピュータ装置１００のシステムメモリ１４中にあって、所定のランダムアクセスディスクエリア１４１を画定するステップ（ステップ１０５）が実行され、後述のオペレーションシステム、表示装置駆動プログラム及びインスタントキー設定アプリケーションプログラムの実行に必要な空間とされ、実行速度が高められる。
【００２１】
各装置の検出完成の後、該基本入出力システムプログラム１６１はまず該表示装置駆動プログラム１７２をロード及び実行し（ステップ１０６）、該表示装置１５が作用開始し、並びに該基本入出力システムプログラム１６１より該インスタントキー設定アプリケーションプログラム１７３と関係するオンスクリーン画像データ１７４を表示装置１５の画像バッファ１５１中にロードし、さらに表示装置１５が該オンスクリーン画像データ１７４を表示する（ステップ１０８）。
【００２２】
本発明の好ましい実施例にあって、オンスクリーン画像データ１７４はシリアル動画画像とされ、このシリアル動画画像は製品機能の簡単な紹介、操作方式の簡単な紹介、或いは一般的な広告とされうる。且つ該オンスクリーン画像データの表示と同時に、音声データ１７５がマルチメディアオーディオビデオ再生装置１８或いは音響装置により同期に再生される。
【００２３】
前述のステップ１０７にあってオンスクリーン画像データ１７４を表示装置１５にロードし、表示装置１５が該オンスクリーン画像データ１７４を表示すると同時に、本発明のフローはオフスクリーンでハードディスク１７中のオペレーションシステム１７１をロード及び実行（ステップ１０９）、オペレーションシステムの全体起動プロセスを完成し、その後、インスタントキー１９に対応するインスタントキー設定アプリケーションプログラム１７３をロードする（ステップ１１０）。インスタントキー設定アプリケーションプログラム１７３が正式に実行されると同時に、該表示装置１５はオンスクリーン画像データ１７４の表示を停止する。
【００２４】
実際の応用時には、該インスタントキー設定アプリケーションプログラム１７３はマルチメディアオーディオビデオ再生装置を実行するアプリケーションプログラムとされ得て、インスタントキー１９はマルチメディアオーディオビデオ再生装置を起動するキー、或いはキーボード装置上の設定インスタントキーとされうる。使用者が該インスタントキー１９を押圧操作する時、コンピュータ装置１００は上述のシリアルのフローを実行する。
【００２５】
図３は本発明のオンスクリーン画像データ表示及びオフスクリーンのコンピュータプログラムのロード及び実行の方法の第２実施例の機能ブロック図である。この実施例中、その大部分の構成モジュールは図１のものと同じであり、ゆえに同じ機能モジュールは同じ符号で表示している。その違いはコンピュータ装置１００の第２バスブリッジ１３に複数の異なる機能のマルチメディアオーディオビデオ再生装置が接続されていることで、それにはＤＶＤ再生装置１８ａ、ＣＤ再生装置１８ｂ、ＴＶ放送装置１８ｃが包含され、それらはそれぞれ各自のオーディオビデオインタフェース１８０ａ、１８０ｂ、１８０ｃを介して第２バスブリッジ１３に接続されている。
【００２６】
該第２バスブリッジ１３はデコード回路２０を通じて複数のインスタントキー１９ａ、１９ｂ、１９ｃに接続され、これらインスタントキー１９ａ、１９ｂ、１９ｃはそれぞれインスタントキー設定アプリケーションプログラム１７３ａ、１７３ｂ、１７３ｃに対応し、該インスタントキー設定アプリケーションプログラム１７３ａ、１７３ｂ、１７３ｃはそれぞれＤＶＤ再生装置１８ａ、ＣＤ再生装置１８ｂ、ＴＶ放送装置１８ｃに対応しそれを制御する。データ保存媒体１７中には複数のインスタントキー設定アプリケーションプログラム１７３ａ、１７３ｂ、１７３ｃがインストールされているほか、該インスタントキー設定アプリケーションプログラムに対応する複数のオンスクリーン画像データ１７４ａ、１７４ｂ、１７４ｃ及び音声データ１７５ａ、１７５ｂ、１７５ｃが保存されている。
【００２７】
該データ保存媒体１７中にはインスタントキー事件コード対応テーブル１７６が保存され、図５には該インスタントキー事件コード対応テーブル１７６の関係フィールドデータが表示され、それは、該インスタントキー事件コード対応テーブル１７６中に保存された複数のインスタントキー１９ａ、１９ｂ、１９ｃに対応する事件コード＃１、＃２、＃３、該事件コードに対応するインスタントキー設定アプリケーションプログラム＃１、＃２、＃３、該インスタントキー設定アプリケーションプログラムに対応する関係オンスクリーン画像データ＃１、＃２、＃３及び音声データ＃１、＃２、＃３が表示されている。
【００２８】
図６は、本発明のオンスクリーン画像データ表示及びオフスクリーンのコンピュータプログラムのロード及び実行の方法の第２実施例実行時の制御フローチャートである。この実施例の制御フロー中、その大部分のステップは図２のものと同じであり、その違いは、コンピュータシステムが任意のインスタントキー１９ａ、１９ｂ、１９ｃが押圧操作されたことを検出した（ステップ１０１）時、続いて、図３中のデコード回路２０がそれをデコードし（ステップ１０１ｂ）、その後、コンピュータシステムがデコード結果に基づきどのインスタントキーが押圧操作されたかを判別する（ステップ１０１ｃ）。
【００２９】
この後、コンピュータシステム開始実行し（ステップ１０２）、基本入出力システムを実行し（ステップ１０３）、コンピュータ装置１００中に接続された表示装置１５、ハードディスク１７、マルチメディアオーディオビデオ再生装置１８等の装置を検出し（ステップ１０４）、ランダムアクセスディスクエリア１４１を画定し、該表示装置１５の駆動プログラムをロード及び実行する（ステップ１０６）。
【００３０】
その後、コンピュータシステムは押圧操作されたインスタントキーを判別し、それにより基本入出力システムプログラム１６１がそのインスタントキーに対応するインスタントキー設定アプリケーションプログラム１７３ａ、１７３ｂ、１７３ｃと関係するオンスクリーン画像データ１７４ａ、１７４ｂ、１７４ｃを表示装置１５の画像バッファ１５１中にロードし（ステップ１０７）、さらに表示装置１５がオンスクリーン画像データ１７４ａ、１７４ｂ、１７４ｃを表示する（ステップ１０８）。
【００３１】
また、本発明のフローはオフスクリーンでハードディスク１７中のオペレーションシステム１７１をロード及び実行し（ステップ１０９）、オペレーションシステムの全体起動プロセスを完成し、その後、該インスタントキー１９ａ、１９ｂ、１９ｃに対応するインスタントキー設定アプリケーションプログラム１７３ａ、１７３ｂ、１７３ｃをロード及び実行する（ステップ１１０）。インスタントキー設定アプリケーションプログラム１７３ａ、１７３ｂ、１７３ｃが正式に実行されると同時に、該表示装置１５はオンスクリーン画像データ１７４ａ、１７４ｂ、１７４ｃの表示を停止する。
【００３２】
上述の本発明の実施例から分かるように、本発明は確実に産業上の利用価値を有する。しかし、以上の実施例は本発明の好ましい実施例の説明にすぎず、この技術の属する分野における通常の知識を有する者が上述の実施例の説明に基づきなしうるその他の数々の改良及び変更は、いずれも本発明の請求範囲内に属するものとする。
【図面の簡単な説明】
【００３３】
【図１】本発明のオンスクリーン画像データ表示及びオフスクリーンのコンピュータプログラムのロード及び実行の方法のシステム機能ブロック図である。
【図２】本発明のオンスクリーン画像データ表示及びオフスクリーンのコンピュータプログラムのロード及び実行の方法の制御フローチャートである。
【図３】本発明のオンスクリーン画像データ表示及びオフスクリーンのコンピュータプログラムのロード及び実行の方法の第２実施例の機能ブロック図である。
【図４】図３中のハードディスク中にインストールされた複数のインスタントキー設定アプリケーションプログラム、及び該インスタントキー設定アプリケーションプログラムに対応する複数のオンスクリーン画像データ及び音声データの表示図である。
【図５】図３中のインスタントキー事件コード対応テーブルの関係フィールドデータの表示図である。
【図６】本発明のオンスクリーン画像データ表示及びオフスクリーンのコンピュータプログラムのロード及び実行の方法の第２実施例実行時の制御フローチャートである。
【符号の説明】
【００３４】
１００  コンピュータ装置
１１  ＣＰＵ
１２  第１バスブリッジ
１３  第２バスブリッジ
１４  システムメモリ
１５  ディスプレイ
１５０  ディスプレイインタフェース
１５１  画像バッファ
１６  基本入出力システムメモリ
１６１  基本入出力システムプログラム
１６２  ＰＯＳＴ（パワーオンセルフテスト）プログラム
１７  ハードディスク
１７０  ハードディスクインタフェース
１７１  オペレーションシステム
１７２  表示装置の駆動プログラム
１７３  インスタントキー設定アプリケーションプログラム
１７３ａ、１７３ｂ、１７３ｃ  インスタントキー設定アプリケーションプログラム
１７４  オンスクリーン画像データ
１７４ａ、１７４ｂ、１７４ｃ  オンスクリーン画像データ
１７５  音声データ
１７５ａ、１７５ｂ、１７５ｃ  音声データ
１７６  インスタントキー事件コード対応テーブル
１８  マルチメディアオーディオビデオ再生装置
１８ａ  ＤＶＤ再生装置
１８ｂ  ＣＤ再生装置
１８ｃ  ＴＶ放送装置
１８０  オーディオビデオインタフェース
１８０ａ、１８０ｂ、１８０ｃ  オーディオビデオインタフェース
１９  インスタントキー
１９ａ、１９ｂ、１９ｃ  インスタントキー
１９０  インスタントキー検出インタフェース
２０  デコード回路
【図１】
2007034252.tif 000003
【図２】
2007034252.tif 000004
【図３】
2007034252.tif 000005
【図４】
2007034252.tif 000006
【図５】
2007034252.tif 000007
【図６】
2007034252.tif 000008